(57)【要約】  【課題】  不特定のユーザが情報を投稿することができる情報提供装置を提供する。  【解決手段】  情報提供装置１０は、乗客がバス停の位置を示すデータを記憶したバス停記憶部１３と、画像を含む投稿情報と画像の撮影時刻を示すデータと画像を撮影したユーザの乗降履歴とを受信する通信部１１と、撮影時刻を示すデータと乗降履歴から撮影時刻の前後にユーザが利用したバス停を求め、バス停の位置をバス停記憶部１３から読み出し、読み出した乗降所の位置に基づいてユーザがいた領域を求め、領域に基づいて投稿情報を関連付ける乗降所を決定する関連バス停決定部１２と、投稿情報をバス停に関連付けて記憶する投稿情報記憶部１４と、バス停を通るバスに対して投稿情報を送信する通信部１１とを備える。【選択図】  図１
2010230813.tif 000002
【特許請求の範囲】
【請求項１】
乗客が乗物に乗り降りする乗降所の位置を示すデータを記憶した乗降所記憶部と、
画像を含む投稿情報と前記画像の撮影時刻を示すデータと前記画像を撮影したユーザの乗降履歴とを受信する受信部と、
前記撮影時刻を示すデータと前記乗降履歴とから前記撮影時刻の前後にユーザが利用した乗降所を求め、前記乗降所の位置を前記乗降所記憶部から読み出し、読み出した乗降所の位置に基づいてユーザがいた領域を求め、前記領域に基づいて前記投稿情報を関連付ける乗降所を決定する関連乗降所決定部と、
前記投稿情報を前記乗降所に関連付けて記憶する投稿情報記憶部と、
前記乗降所を通る乗物に対して前記投稿情報を送信する送信部と、
を備える情報提供装置。
【請求項２】
前記投稿情報記憶部から、撮影位置が確定しており、かつ、その撮影位置が前記領域内にある位置確定画像を読み出し、前記位置確定画像と新たな投稿情報にかかる画像とのマッチングを行い、マッチングの結果を前記関連乗降所決定部に渡す画像マッチング処理部を備え、
前記関連乗降所決定部は、新たな投稿情報にかかる画像とマッチした位置確定画像がある場合には、前記位置確定画像の撮影位置を用いて、前記乗降所との関連付けを行う請求項１に記載の情報提供装置。
【請求項３】
乗客が乗物に乗り降りする乗降所の位置を示すデータを記憶した乗降所記憶部と、
画像データを含む投稿情報と前記画像の撮影位置を示すデータを受信する受信部と、
前記撮影位置を示すデータと前記乗降所記憶部に記憶された乗降所の位置データとに基づいて、前記投稿情報を関連付ける乗降所を決定する関連乗降所決定部と、
前記投稿情報を前記乗降所に関連付けて記憶する投稿情報記憶部と、
前記乗降所を通る乗物に対して前記投稿情報を送信する送信部と、
を備える情報提供装置。
【請求項４】
前記乗降所を含む道路地図のデータを記憶した道路記憶部を備え、
前記関連乗降所決定部は、前記道路地図のデータを用いて前記撮影位置から前記乗降所までの経路を探索し、その経路長に基づいて前記画像データを関連付ける乗降所を決定する請求項３に記載の情報提供装置。
【請求項５】
前記投稿情報を送信した投稿者に対してポイントを付与するポイント付与部と、
前記投稿者ごとのポイントを記憶するポイント記憶部とを備え、
前記ポイント付与部は、前記投稿情報にかかる画像の撮影位置を示すデータと、前記投稿情報記憶部に記憶された撮影位置が確定している画像の撮影位置を示すデータとを比較し、撮影位置が一致しない場合に、撮影位置が一致する場合より高いポイントを付与する請求項１〜４のいずれかに記載の情報提供装置。
【請求項６】
ユーザ端末からの要求に応じて、前記投稿情報に関連する関連情報を送信する関連情報送信部と、
前記関連情報が送信された投稿情報の投稿者に対してポイントを付与するポイント付与部と、
前記投稿者ごとのポイントを記憶するポイント記憶部と、
を備える請求項１〜４のいずれかに記載の情報提供装置。
【請求項７】
ユーザが商品を購入した店舗を示すデータを含む商品の購入履歴を記憶した購入履歴記憶部と、
ユーザの乗降履歴を記憶した乗降履歴記憶部と、
店舗についての投稿情報を乗物内で表示した表示履歴を記憶する表示履歴記憶部と、
前記購入履歴に基づいて、ユーザが投稿情報にかかる店舗において商品を購入したか否かを判定し、投稿情報にかかる店舗において商品を購入したと判定された場合に、その店舗についての投稿情報が表示されている間に前記ユーザが乗物に乗っていたか否かを前記乗降履歴と前記表示履歴とに基づいて判定し、前記ユーザが乗物に乗っていたと判定された場合に、前記投稿情報を送信した投稿者にポイントを付与するポイント付与部と、
前記投稿者ごとのポイントを記憶するポイント記憶部と、
を備える請求項１〜４のいずれかに記載の情報提供装置。
【請求項８】
ユーザを特定する識別子と共に、画像を含む投稿情報と前記画像の撮影時刻を示すデータを受信する第１の受信部と、
前記第１の受信部にて受信したデータを記憶する第１の記憶部と、
ユーザを特定する識別子と共に、前記画像を撮影したユーザの乗降履歴を受信する第２の受信部と、
前記第２の受信部にて受信したデータを記憶する第２の記憶部と、
前記第１の記憶部および第２の記憶部から読み出し、読み出したデータを情報提供装置に送信する送信部と、
を備えた中継端末。
【請求項９】
情報提供装置によって情報を提供する情報提供方法であって、
前記情報提供装置が、画像を含む投稿情報と前記画像の撮影時刻を示すデータと前記画像を撮影したユーザの乗降履歴とを受信するステップと、
前記情報提供装置が、前記撮影時刻を示すデータと前記乗降履歴とに基づいて、前記撮影時刻にユーザがいた領域を求めるステップと、
前記情報提供装置が、前記領域と、乗降所記憶部に記憶された乗客が乗物に乗り降りする乗降所の位置を示すデータとに基づいて、前記投稿情報を関連付ける乗降所を決定するステップと、
前記情報提供装置が、前記投稿情報を前記乗降所に関連付けて投稿情報記憶部に記憶するステップと、
前記情報提供装置が、前記乗降所を通る乗物に対して前記投稿情報を送信するステップと、
を備える情報提供方法。
【請求項１０】
情報提供装置によって、情報を提供する情報提供方法であって、
前記情報提供装置が、画像データを含む投稿情報と前記画像の撮影位置を示すデータを受信するステップと、
前記情報提供装置が、前記撮影位置を示すデータと乗降所記憶部に記憶された乗客が乗物に乗り降りする乗降所の位置を示すデータとに基づいて、前記投稿情報を関連付ける乗降所を決定するステップと、
前記情報提供装置が、前記投稿情報を前記乗降所に関連付けて投稿情報記憶部に記憶するステップと、
前記情報提供装置が、前記乗降所を通る乗物に対して前記投稿情報を送信するステップと、
を備える情報提供方法。
【請求項１１】
情報を提供するためのプログラムであって、コンピュータに、
画像を含む投稿情報と前記画像の撮影時刻を示すデータと前記画像を撮影したユーザの乗降履歴とを受信するステップと、
前記撮影時刻を示すデータと前記乗降履歴とに基づいて、前記撮影時刻にユーザがいた領域を求めるステップと、
前記領域と、乗降所記憶部に記憶された乗客が乗物に乗り降りする乗降所の位置を示すデータとに基づいて、前記投稿情報を関連付ける乗降所を決定するステップと、
前記投稿情報を前記乗降所に関連付けて投稿情報記憶部に記憶するステップと、
前記乗降所を通る乗物に対して前記投稿情報を送信するステップと、
を実行させるプログラム。
【請求項１２】
情報を提供するためのプログラムであって、コンピュータに、
画像データを含む投稿情報と前記画像の撮影位置を示すデータを受信するステップと、
前記撮影位置を示すデータと乗降所記憶部に記憶された乗客が乗物に乗り降りする乗降所の位置を示すデータとに基づいて、前記投稿情報を関連付ける乗降所を決定するステップと、
前記投稿情報を前記乗降所に関連付けて投稿情報記憶部に記憶するステップと、
前記乗降所を通る乗物に対して前記投稿情報を送信するステップと、
を実行させるプログラム。
【発明の詳細な説明】
【技術分野】
【０００１】
本発明は、バス停や駅などの周辺の情報を提供する情報提供装置に関し、特に、提供する情報を適切に収集できる装置に関する。
【背景技術】
【０００２】
従来から、バスの停留所（以下、「バス停」という）への到着に先立って、バス停の付近の情報を車内アナウンスすることが行われている。また、特許文献１には、バス停や列車の駅の周辺情報を提供するシステムが開示されている。
【０００３】
特許文献１に記載された発明では、地域情報提供端末装置から提供される地域情報を管理センター内の地域情報サーバに格納する。地域情報として、例えば、地域で行われる催し物や駅周辺の公共施設などの情報を格納する。管理センターは、運行位置管理装置からの情報に基づいて各列車の運行位置を把握し、列車が次の駅に到着するまでの間、乗客に対して次の駅周辺の地域情報を供給する。
【特許文献１】特開２００２−２１５０７６号公報
【発明の開示】
【発明が解決しようとする課題】
【０００４】
特許文献１に記載された情報提供方法では、地域情報の提供者が所有するパーソナルコンピュータから、地域情報の更新を指示することにより、その提供者が提供する情報の部分のみを更新する。すなわち、あらかじめ登録された提供者のみが情報を提供することができる。特定の情報提供者によって提供される情報が選択されるため、提供される情報には情報提供者の意図が入り込みがちとなり、情報に偏りが生じてしまう可能性があった。また、乗物の乗客は、情報の提供を受けるだけの受動的な立場であり、情報を発信することができなかった。
本発明は、不特定のユーザが情報を投稿することができる情報提供装置を提供することを目的とする。
【課題を解決するための手段】
【０００５】
本発明の情報提供装置は、乗客が乗物に乗り降りする乗降所の位置を示すデータを記憶した乗降所記憶部と、画像を含む投稿情報と前記画像の撮影時刻を示すデータと前記画像を撮影したユーザの乗降履歴とを受信する受信部と、前記撮影時刻を示すデータと前記乗降履歴から前記撮影時刻の前後にユーザが利用した乗降所を求め、前記乗降所の位置を前記乗降所記憶部から読み出し、読み出した乗降所の位置に基づいてユーザがいた領域を求め、前記領域に基づいて前記投稿情報を関連付ける乗降所を決定する関連乗降所決定部と、前記投稿情報を前記乗降所に関連付けて記憶する投稿情報記憶部と、前記乗降所を通る乗物に対して前記投稿情報を送信する送信部とを備える。
【０００６】
このように撮影時刻の前後に利用した乗降所の位置から、撮影時刻にユーザがいた領域を求め、求めた領域に基づいて適切な乗降所と画像とを関連付けて記憶する。これにより、乗降所において適切な投稿情報を提供することができる。関連する乗降所は、例えば、撮影場所に最も近い乗降所である。なお、乗物にはバスや電車や路面電車等が含まれ、乗降所にはバス停や駅等が含まれる。
【０００７】
本発明の情報提供装置は、前記投稿情報記憶部から、撮影位置が確定しており、かつ、その撮影位置が前記領域内にある位置確定画像を読み出し、前記位置確定画像と新たな投稿情報にかかる画像とのマッチングを行い、マッチングの結果を前記関連乗降所決定部に渡す画像マッチング処理部を備え、前記関連乗降所決定部は、新たな投稿情報にかかる画像とマッチした位置確定画像がある場合には、前記位置確定画像の撮影位置を用いて、前記乗降所との関連付けを行ってもよい。
【０００８】
このように位置が確定している投稿情報の画像とのマッチングを行うことにより、新たに投稿された画像の撮影位置を特定することができる。なお、位置が確定している投稿情報は、例えば、ＧＰＳを有する端末から位置データと共に投稿情報が投稿された場合や、投稿情報中に住所等の位置を特定する記述がある場合等である。
【０００９】
本発明の情報提供装置は、乗客が乗物に乗り降りする乗降所の位置を示すデータを記憶した乗降所記憶部と、画像データを含む投稿情報と前記画像の撮影位置を示すデータを受信する受信部と、前記撮影位置を示すデータと前記乗降所記憶部に記憶された乗降所の位置データとに基づいて、前記投稿情報を関連付ける乗降所を決定する関連乗降所決定部と、前記投稿情報を前記乗降所に関連付けて記憶する投稿情報記憶部と、前記乗降所を通る乗物に対して前記投稿情報を送信する送信部とを備える。
【００１０】
このように画像の撮影位置を示すデータを用いることにより、画像を含む投稿情報を適切に乗降所に関連付けることができる。
【００１１】
本発明の情報提供装置は、前記乗降所を含む道路地図のデータを記憶した道路記憶部を備え、前記関連乗降所決定部は、前記道路地図のデータを用いて前記撮影位置から前記乗降所までの経路を探索し、その経路長に基づいて前記画像データを関連付ける乗降所を決定してもよい。
【００１２】
この構成により、直線距離では分からない経路長に応じて、乗降所と撮影位置とを適切に関連付けすることができる。
【００１３】
本発明の情報提供装置は、前記投稿情報を送信した投稿者に対してポイントを付与するポイント付与部と、前記投稿者ごとのポイントを記憶するポイント記憶部とを備え、前記ポイント付与部は、前記投稿情報にかかる画像の撮影位置を示すデータと、前記投稿情報記憶部に記憶された撮影位置が確定している画像の撮影位置を示すデータとを比較し、撮影位置が一致しない場合に、撮影位置が一致する場合より高いポイントを付与してもよい。
【００１４】
この構成により、記憶している投稿情報とは異なる位置で撮影した投稿情報を投稿するインセンティブが働くので、異なる位置での投稿情報を集めることができる。
【００１５】
本発明の情報提供装置は、ユーザ端末からの要求に応じて、前記投稿情報に関連する関連情報を送信する関連情報送信部と、前記関連情報が送信された投稿情報の投稿者に対してポイントを付与するポイント付与部と、前記投稿者ごとのポイントを記憶するポイント記憶部とを備えてもよい。
【００１６】
この構成により、ユーザが興味を持つような投稿情報を投稿するインセンティブが働くので、面白い投稿情報を集めることができる。
【００１７】
本発明の情報提供装置は、ユーザが商品を購入した店舗を示すデータを含む商品の購入履歴を記憶した購入履歴記憶部と、ユーザの乗降履歴を記憶した乗降履歴記憶部と、店舗についての投稿情報を乗物内で表示した表示履歴を記憶する表示履歴記憶部と、前記購入履歴に基づいて、ユーザが投稿情報にかかる店舗において商品を購入したか否かを判定し、投稿情報にかかる店舗において商品を購入したと判定された場合に、その店舗についての投稿情報が表示されている間に前記ユーザが乗物に乗っていたか否かを前記乗降履歴と前記表示履歴とに基づいて判定し、前記ユーザが乗物に乗っていたと判定された場合に、前記投稿情報を送信した投稿者にポイントを付与するポイント付与部と、前記投稿者ごとのポイントを記憶するポイント記憶部とを備えてもよい。
【００１８】
この構成により、買い物をしたくなるような良い店舗の情報を投稿するインセンティブが働くので、店舗に関する良質な情報を集めることができる。
【００１９】
本発明の中継端末は、ユーザを特定する識別子と共に、画像を含む投稿情報と前記画像の撮影時刻を示すデータを受信する第１の受信部と、前記第１の受信部にて受信したデータを記憶する第１の記憶部と、ユーザを特定する識別子と共に、前記画像を撮影したユーザの乗降履歴を受信する第２の受信部と、前記第２の受信部にて受信したデータを記憶する第２の記憶部と、前記第１の記憶部および第２の記憶部から読み出し、読み出したデータを情報提供装置に送信する送信部とを備える。
【００２０】
この構成により、画像を撮影して投稿情報を生成するデバイスと、乗降履歴を蓄積するデバイスとが別体であっても、投稿情報および乗降履歴を適切に情報提供装置に送信できる。なお、この中継端末は、バス停や駅に設置されてもよい。
【００２１】
本発明の情報提供方法は、情報提供装置によって情報を提供する情報提供方法であって、前記情報提供装置が画像を含む投稿情報と前記画像の撮影時刻を示すデータと前記画像を撮影したユーザの乗降履歴とを受信するステップと、前記情報提供装置が、前記撮影時刻を示すデータと前記乗降履歴とに基づいて前記撮影時刻にユーザがいた領域を求めるステップと、前記情報提供装置が、前記領域と乗降所記憶部に記憶された乗客が乗物に乗り降りする乗降所の位置を示すデータとに基づいて、前記投稿情報を関連付ける乗降所を決定するステップと、前記情報提供装置が前記投稿情報を前記乗降所に関連付けて投稿情報記憶部に記憶するステップと、前記情報提供装置が前記乗降所を通る乗物に対して前記投稿情報を送信するステップとを備える。
【００２２】
本発明のプログラムは、情報を提供するためのプログラムであって、コンピュータに、画像を含む投稿情報と前記画像の撮影時刻を示すデータと前記画像を撮影したユーザの乗降履歴とを受信するステップと、前記撮影時刻を示すデータと前記乗降履歴とに基づいて、前記撮影時刻にユーザがいた領域を求めるステップと、前記領域と、乗降所記憶部に記憶された乗客が乗物に乗り降りする乗降所の位置を示すデータとに基づいて、前記投稿情報を関連付ける乗降所を決定するステップと、前記投稿情報を前記乗降所に関連付けて投稿情報記憶部に記憶するステップと、前記乗降所を通る乗物に対して前記投稿情報を送信するステップとを実行させる。
【００２３】
この構成により、本発明の情報提供装置と同様に、撮影時刻の前後に利用した乗降所の位置から撮影時刻にユーザがいた領域を求め、求めた領域に基づいて適切な乗降所と画像とを関連付けて記憶することができ、乗降所において適切な投稿情報を提供することができる。なお、本発明の情報提供装置の各種の構成を、本発明の情報提供方法およびプログラムに適用することが可能である。
【００２４】
本発明の情報提供方法は、情報提供装置によって乗物にて情報を提供する情報提供方法であって、前記情報提供装置が画像データを含む投稿情報と前記画像の撮影位置を示すデータを受信するステップと、前記情報提供装置が、前記撮影位置を示すデータと乗降所記憶部に記憶された乗客が乗物に乗り降りする乗降所の位置を示すデータとに基づいて、前記投稿情報を関連付ける乗降所を決定するステップと、前記情報提供装置が前記投稿情報を前記乗降所に関連付けて投稿情報記憶部に記憶するステップと、前記情報提供装置が前記乗降所を通る乗物に対して前記投稿情報を送信するステップとを備える。
【００２５】
本発明のプログラムは、情報を提供するためのプログラムであって、コンピュータに、画像データを含む投稿情報と前記画像の撮影位置を示すデータを受信するステップと、前記撮影位置を示すデータと乗降所記憶部に記憶された乗客が乗物に乗り降りする乗降所の位置を示すデータとに基づいて、前記投稿情報を関連付ける乗降所を決定するステップと、前記投稿情報を前記乗降所に関連付けて投稿情報記憶部に記憶するステップと、前記乗降所を通る乗物に対して前記投稿情報を送信するステップと、を実行させる。
【００２６】
このように画像の撮影位置を示すデータを用いることにより、画像を含む投稿情報を適切に乗降所に関連付けることができ、乗降所において適切な投稿情報を提供することができる。なお、本発明の情報提供装置の各種の構成を、本発明の情報提供方法およびプログラムに適用することが可能である。
【発明の効果】
【００２７】
本発明は、撮影時刻の前後に利用した乗降所の位置から撮影時刻にユーザがいた領域を求め、求めた領域に基づいて適切な乗降所と画像とを関連付けて記憶することができ、乗降所において適切な投稿情報を提供することができる。
【発明を実施するための最良の形態】
【００２８】
以下、本発明の実施の形態の情報提供装置について図面を参照して説明する。以下の実施の形態では、バス停の周辺情報の投稿を受け付ける情報提供装置の例を挙げるが、本発明の情報提供装置は、バス停のみならず、駅周辺の投稿情報を受け付け、電車に対して投稿情報を提供することもできる。
【００２９】
（第１の実施の形態）
図１は、本発明の第１の実施の形態の情報提供システム１の構成を示す図である。情報提供システム１は、バス５０の乗客に対して情報を提供する情報提供装置１０と、情報を投稿する携帯端末３０と、バス５０に搭載された情報出力装置５２とを有している。
【００３０】
携帯端末３０は、ＩＣチップ３１を有している。ＩＣチップ３１には、バス５０の乗車代金をチャージ（前払い）した金額のデータや、乗降履歴のデータが記憶されている。ユーザがバス５０に乗車する際に、バス５０に設けられたＩＣカードリーダに携帯端末３０をかざすことにより、運賃が支払われる。
【００３１】
図２は、ＩＣチップ３１に記憶された乗降履歴のデータを示す図である。ＩＣチップ３１には、ユーザＩＤ、路線ＩＤ、乗車バス停ＩＤ、乗車時刻、降車バス停ＩＤ、降車時刻のデータが記憶されている。
【００３２】
図１に示すように、携帯端末３０は、被写体を撮影する撮影部３２と、撮影により得られた画像を記憶する画像記憶部３３とを有する。撮影部３２は、画像記憶部３３に画像を記憶する際に、被写体を撮影したときの日時を示すデータを画像に対応付けて記憶する。
【００３３】
携帯端末３０は、画像記憶部３３に記憶された画像を用いて投稿情報を生成する投稿情報生成部３４を有する。投稿情報生成部３４は、画像記憶部３３から読み出した画像を表示部３５に表示し、画像に対するコメントを入力部３６から受け付ける。投稿情報生成部３４は、入力されたコメントと画像を対応付けて投稿情報を生成する。携帯端末３０は、投稿情報および乗降履歴を情報提供装置１０に送信するための通信部３７を有する。なお、携帯端末３０は、携帯電話であってもよい。
【００３４】
情報提供装置１０は、通信部１１と、関連バス停決定部１２と、バス停記憶部１３と、投稿情報記憶部１４と、路線ＩＤ取得部１５と、路線情報読出部１６とを有している。通信部１１は、携帯端末３０および情報出力装置５２とデータを送受信する機能を有している。通信部１１は、携帯端末３０から送信される投稿情報とその投稿情報にかかる画像の撮影日時と投稿者の乗降履歴を受信すると、受信した情報を関連バス停決定部１２に渡す。
【００３５】
関連バス停決定部１２は、投稿情報に関連するバス停を決定する機能を有する。投稿情報に関連するバス停とは、投稿情報の近くに存在するバス停である。バス停に関連付けられた投稿情報は、バス５０がそのバス停に到着する前あるいは到着したときに、バス５０の乗客に提供される。投稿情報には、１つのバス停を関連付けてもよいし、複数のバス停を関連付けてもよい。本実施の形態では、情報提供装置１０は、投稿情報の画像の撮影位置を示すデータを受信していない。関連バス停決定部１２は、撮影時刻の前後の乗降履歴に係るバス停の位置に基づいて撮影位置を求め、関連するバス停を決定する。
【００３６】
図３は、バス停記憶部１３に記憶されたデータの例を示す図である。バス停記憶部１３には、バス停ＩＤ、バス停名、路線ＩＤ、位置データのデータが記憶されている。位置データは、バス停の位置を緯度、経度で表している。
【００３７】
図４は、投稿情報記憶部１４に記憶されたデータの例を示す図である。投稿情報記憶部１４は、関連バス停決定部１２にて決定された関連するバス停とその路線ＩＤに関連付けて投稿情報を記憶している。投稿情報には、投稿ＩＤ、画像データ、コメントデータ、投稿者ＩＤが含まれている。画像データ、コメントデータ、投稿者ＩＤは、投稿者の携帯端末３０から送信された情報であり、投稿ＩＤは、受信した投稿情報に対して一意に付与されるＩＤである。
【００３８】
路線ＩＤ取得部１５は、投稿情報を送信すべき路線を特定するＩＤを取得する機能を有する。路線ＩＤ取得部１５は、情報出力装置５２から路線ＩＤを受信することによって取得してもよいし、情報提供装置１０に備えられたキーボード等の入力手段から入力することによって路線ＩＤを取得してもよい。路線ＩＤ取得部１５は、取得した路線ＩＤを路線情報読出部１６に渡す。路線情報読出部１６は、路線ＩＤに対応する投稿情報を投稿情報記憶部１４から読み出し、読み出した路線情報を情報出力装置５２に送信する。
【００３９】
上記に説明した情報提供装置１０は、ＣＰＵ、ＲＯＭ、ＲＡＭ、及びこれらを接続するデータバスなどによって構成されるコンピュータによって構成される。ＲＯＭに書き込まれたプログラムに従ってＣＰＵが演算処理を実行することにより、上記機能が実現される。投稿情報記憶部１４およびバス停記憶部１３は、ＲＯＭによって構成してもよいし、外部の記録媒体によって構成してもよい。
【００４０】
図５は、第１の実施の形態の情報提供システム１の動作を示すフローチャートである。携帯端末３０は、まず、投稿情報を生成する（Ｓ１０）。
【００４１】
図６は、投稿情報の生成処理を示すフローチャートである。携帯端末３０は、画像を撮影し（Ｓ３０）、撮影日時を取得する（Ｓ３２）。携帯端末３０は、撮影した画像と撮影日時のデータを画像記憶部３３に記憶する（Ｓ３４）。なお、携帯端末３０が有するカメラの機能として、撮影日時の情報が撮影画像にタグとして埋め込まれる場合には、この機能を利用して撮影日時の情報を取得してもよい。ここまでの動作は、通常のデジタルカメラと同じである。
【００４２】
次に、画像記憶部３３に記憶された画像の中から選択した画像から投稿情報を生成する。携帯端末３０は、画像記憶部３３に記憶された画像を表示部３５に表示し、画像の選択を促し、ユーザからの画像の選択を受け付ける（Ｓ３６）。携帯端末３０は、選択された画像を表示し、コメントの入力を受け付ける（Ｓ３８）。
【００４３】
図７は、投稿情報の生成画面の例を示す図である。画面の上のウィンドウ４１には、選択された画像が表示され、その下に文字入力のウィンドウ４２が表示される。ユーザは、ウィンドウ４１に表示された画像を見ながら、コメントを入力する。コメントの入力後、確定ボタン４３が押下されると、携帯端末３０はコメントを確定し、画像とコメントの関連付けを行って（Ｓ４０）、投稿情報を生成する。携帯端末３０は、１つの投稿情報の生成に続いて、次の画像に対するコメントの入力を受け付け、連続して複数の投稿情報の生成を行うことができる。
【００４４】
図５に戻って、情報提供システム１の動作について説明する。携帯端末３０は、投稿情報を生成した後、投稿情報を情報提供装置１０に送信する（Ｓ１２）。図７に示す画面において、投稿ボタン４４が押下されると、携帯端末３０は、投稿情報を情報提供装置１０に送信する。
【００４５】
図８（ａ）は、携帯端末３０から情報提供装置１０に送信されるデータの例を示す図である。携帯端末３０から情報提供装置１０には、複数の投稿情報に投稿主を特定する投稿者ＩＤが付加されている。投稿者ＩＤとしては、乗降履歴に付加されるユーザＩＤと同じ識別子が用いられる。投稿情報には、画像データと、コメントデータが含まれる。画像データおよびコメントデータは、図７に示す画面で生成されたデータである。各投稿情報には、投稿情報にかかる画像の撮影日時のデータが付加されている。なお、本実施の形態では、複数の投稿情報をまとめて送信する例について説明しているが、投稿情報を１つずつ送信してもよい。
【００４６】
また、携帯端末３０は、ユーザのバスへの乗降履歴のデータをＩＣチップ３１から読み出して、情報提供装置１０に送信する（Ｓ１６）。
【００４７】
図８（ｂ）は、送信される乗降履歴の例を示す図である。携帯端末３０から情報提供装置１０に、複数の乗降情報と共に、ユーザを特定するユーザＩＤが送信される。乗降情報には、路線ＩＤと、乗車バス停ＩＤと、乗車時刻と、降車バス停ＩＤと、降車時刻のデータとが含まれる。
【００４８】
情報提供装置１０は、携帯端末３０から送信された投稿情報と乗降履歴を受信する（Ｓ１４，Ｓ１８）。情報提供装置１０は、受信した投稿情報に関連するバス停を決定する処理を行う（Ｓ２０）。
【００４９】
図９は、情報提供装置１０が投稿情報に関連するバス停を決定する動作を示すフローチャートである。情報提供装置１０は、投稿情報の中から、画像の撮影時刻を読み出す（Ｓ５０）。また、情報提供装置１０は、乗降履歴の中から撮影時刻の前後のバスの乗車時刻または降車時刻を読み出す（Ｓ５２）。情報提供装置１０は、撮影時刻においてユーザがバス乗車中であったか否かを判定する（Ｓ５４）。具体的には、撮影時刻と乗降車時刻が、「乗車時刻」「撮影時刻」「降車時刻」の時系列になっている場合には、撮影時刻に、ユーザはバス乗車中であったと判定する（Ｓ５４でＹＥＳ）。
【００５０】
バス乗車中と判定された場合には（Ｓ５４でＹＥＳ）、乗車バス停、降車バス停、または乗車バス停と降車バス停との間にあるバス停の中から、関連するバス停を決定する（Ｓ５６）。例えば、乗車時刻と降車時刻との間に、バス５０が一定の速度で移動していると仮定し、撮影時刻においてバス５０がどのバス停付近にいるかを求めてもよい。また、バス５０が各バス停を通過した時刻を記録している場合には、その記録を利用して撮影時刻に最も近いバス停を関連するバス停として決定してもよい。
【００５１】
バス乗車中でないと判定された場合には（Ｓ５４でＮＯ）、撮影時刻が乗車直前または降車直後であるか否かを判定する（Ｓ５８）。この判定の結果、撮影時刻が乗車直前または降車直後であると判定された場合には（Ｓ５８でＹＥＳ）、該当のバス停を投稿情報に関連するバス停として決定する（Ｓ６０）。
【００５２】
なお、乗車直前、降車直後か否かの判定は、所定の閾値を用いて行うことができる。例えば、乗車直前か否かの判定は、乗車時刻の１０分前から乗車時刻までの間に撮影時刻が入っているか否かを判定し、降車直後か否かの判定は、降車時刻から降車時刻の５分後までの間に撮影時刻が入っているか否かを判定する。乗車前はバス停でバスを待つのに対し、降車後はすぐにバス停から離れるので、この例のように、乗車直前か否かの判定の方が、降車直後か否かの判定より長い閾値を用いてもよい。
【００５３】
撮影時刻が乗車直前または降車直後のいずれでもない場合には（Ｓ５８でＮＯ）、降車時刻および乗車時刻と降車バス停の位置と乗車バス停の位置から撮影時刻にユーザがいた領域を求め、その領域にあるバス停を関連するバス停として決定する（Ｓ６２）。例えば、バス停Ａで降車してバス停Ａから再び乗車した場合には、ユーザはバス停Ａの周辺にいたと判定し、バス停Ａを関連するバス停として決定する。バス停Ａで降車してバス停Ｂから乗車した場合には、ユーザはバス停Ａからバス停Ｂとの間の領域にいたと判定し、撮影時刻に応じて、バス停Ａ、バス停Ｂ、または、バス停Ａとバス停Ｂとの間にあるバス停のいずれかを関連するバス停として決定する。なお、降車時刻と乗車時刻とが大きく離れている場合（例えば、４時間以上離れている場合）には、ユーザの自宅や会社の位置情報、または、周辺のデパートや観光施設等の位置情報を用いて、ユーザがいた場所を推定してもよい。
【００５４】
図５に戻って、情報提供システム１の動作について説明する。情報提供装置１０は、投稿情報記憶部１４に、関連するバス停のバス停ＩＤとその路線ＩＤの情報に関連付けて投稿情報を記憶する（Ｓ２２）。以上の動作により、携帯端末３０のユーザから受信した投稿情報が投稿情報記憶部１４に蓄積される。
【００５５】
情報提供装置１０は、路線ＩＤの入力を受け付ける（Ｓ２４）。例えば、情報出力装置５２から路線ＩＤの情報を受信することにより、路線ＩＤの入力の受け付けてもよい。情報提供装置１０は、入力された路線ＩＤに対応する投稿情報を情報出力装置５２に送信する（Ｓ２６）。これにより、バスに搭載された情報出力装置５２に、バス停ＩＤに関連付けられた投稿情報が送信される。なお、入力された路線ＩＤに対応する投稿情報に加えて、入力された路線のバス停から乗り換えて行けるバス停の投稿情報をも情報出力装置５２に送信してもよい。これにより、路線上のバス停の投稿情報のみならず、「次のバス停で○○に乗り換えると、××が見られます。」というような別路線のバス停の投稿情報も提供できる。
【００５６】
情報出力装置５２は、各バス停に到着する前または到着時に、ユーザから受け付けた投稿情報を表示あるいは音声出力する。なお、１つのバス停に関連付けられた複数の投稿情報がある場合には、情報出力装置５２は、投稿情報をランダムに表示してもよいし、新しい順に表示してもよい。バス５０への乗車の際に、ＩＣチップ３１から乗客の属性や嗜好の情報を取得できる場合には、乗客の属性や嗜好に合った投稿情報を表示してもよい。
【００５７】
図１０は、投稿情報の表示例を示す図である。一番上のウィンドウ４５に、次に停車するバス停名が表示され、２番目のウィンドウ４６に画像が表示される。３番目のウィンドウ４７に投稿者のコメントが表示される。以上、本発明の第１の実施の形態の情報提供システム１の構成および動作について説明した。
【００５８】
第１の実施の形態の情報提供装置１０は、携帯端末３０から送信された投稿情報をバス停に関連付けて記憶し、この投稿情報をバス５０に搭載された情報出力装置５２に送信するので、情報出力装置５２は、適切なタイミングで投稿情報を出力することができる。
【００５９】
第１の実施の形態の情報提供装置１０は、撮影時刻の前後に利用した乗降所の位置から撮影場所を求め、適切な乗降所と画像とを関連付けて記憶するので、携帯端末３０から撮影場所の情報を受信していなくても、投稿情報を受け付けることができる。
【００６０】
（第２の実施の形態）
図１１は、第２の実施の形態の情報提供システム２の構成を示す図である。第２の実施の形態における携帯端末３０は、第１の実施の形態における携帯端末３０と同じである。第２の実施の形態の情報提供装置１０は、第１の実施の形態の情報提供装置１０の構成に加えて、画像マッチング処理部１７を有している。
【００６１】
図１２は、投稿情報記憶部１４に記憶されたデータの例を示す図である。投稿情報記憶部１４は、第１の実施の形態における投稿情報記憶部１４に記憶されたデータに加え、投稿情報として位置データを記憶している。位置データは、存在する場合と存在しない場合がある。位置データは、例えば、（１）画像データのタグ情報として位置データが付加されている場合に、その位置データを取得する、（２）投稿情報のコメントデータに住所または施設を特定する名称が含まれている場合に、その住所や施設名から位置データを求める等の方法により取得できる。なお、住所から緯度、経度データに変換するソフトウェアは公知である。
【００６２】
画像マッチング処理部１７は、携帯端末３０から送信された画像と位置データを有する投稿情報の画像データとのマッチングを行う機能を有する。画像マッチング処理部１７は、比較対象となる２つの画像の類似度を求め、類似度が所定の閾値以上となる場合に、両画像がマッチングすると判定し、所定の閾値未満の場合にマッチングしないと判定する。
【００６３】
類似度の計算には、公知の方法を用いることができる。例えば、米国特許６７１１２９３号や「Distinctive Image Features from Scale-Invariant Keypoints」（David G.Lowe著）に記載されたＳＩＦＴ特徴点のマッチング数、カラーヒストグラム差分、明度ヒストグラム差分、フーリエ変換等で得られる周波数解析結果の差分、エッジ方位の分布の差分などを用いて画像の類似度を求める。エッジ方位については、垂直および水平エッジ抽出フィルタを適用した出力をそれぞれEv、Ehとすると、例えばarctan(Ev/Eh)[rad]で求めることができる。これらのパラメータのうちの一つのパラメータ、あるいは組み合わせを用いて類似度を求めてもよいし、いくつかのパラメータの重み付き和を用いてもよい。ここで、ＳＩＦＴ特徴点のマッチング数を用いて類似度を計算する例について説明する。まず、比較対象の画像中からＳＩＦＴ特徴量を抽出する。次に、それぞれの画像で得られたＳＩＦＴ特徴量間の距離を計算し、その距離がある閾値以下となる特徴量の個数（マッチング数）を算出する。このマッチング数が画像の類似度を示す。マッチング数が多いほど、類似度が大きいことになる。
【００６４】
次に、第２の実施の形態の情報提供システム２の動作について説明する。第２の実施の形態の情報提供システム２の基本的な動作は第１の実施の形態の情報提供システム１と同じである（図５参照）。第２の実施の形態の情報提供装置１０は、関連するバス停を決定する処理が、第１の実施の形態の情報提供装置１０とは異なる。
【００６５】
図１３は、第２の実施の形態の情報提供装置１０が、投稿情報に関連するバス停を決定する処理を示すフローチャートである。情報提供装置１０が、投稿情報の中から画像の撮影時刻を読み出し（Ｓ５０）、乗降履歴の中から撮影時刻の前後のバスの乗車時刻または降車時刻を読み出して（Ｓ５２）、撮影時刻にユーザがバス乗車中であったかを判定する（Ｓ５４）。バス乗車中であったと判定された場合には（Ｓ５４でＹＥＳ）、乗車バス停、降車バス停、または乗車バス停と降車バス停との間に走行した経路から、ユーザがいた領域を決定する（Ｓ６４）。例えば、乗車時刻と降車時刻との間に、バス５０が一定の速度で移動していると仮定し、撮影時刻においてバス５０がどの辺りを走行したか、すなわちユーザがいた領域を求めてもよい。また、バス５０が各バス停を通過した時刻を記録している場合には、その記録を利用して撮影時刻に最も近いバス停の情報からバスがどの辺りを走行したか求めてもよい。
【００６６】
バス乗車中でないと判定された場合には（Ｓ５４でＮＯ）、撮影時刻が乗車直前または降車直後であるか否かを判定する（Ｓ６６）。この判定の結果、撮影時刻が乗車直前または降車直後であると判定された場合には（Ｓ６６でＹＥＳ）、該当のバス停の周辺をユーザがいた領域として決定する（Ｓ６８）。乗車直前、降車直後の判定は、第１の実施の形態と同様に行う。撮影時刻が乗車直前または降車直後のいずれでもない場合には（Ｓ６６でＮＯ）、降車時刻および乗車時刻と降車バス停の位置と乗車バス停の位置から撮影時刻にユーザがいた領域を求める（Ｓ７０）。
【００６７】
次に、情報提供装置１０は、投稿情報記憶部１４から、位置データを有する画像（すなわち、撮影位置が確定している画像）であって、ユーザがいた領域内で撮影された画像を読み出す（Ｓ７２）。情報提供装置１０は、読み出した画像と新たに投稿された画像とのマッチング処理を行い、新たに投稿された画像がいずれかの画像とマッチするか否かを判定する（Ｓ７４）。新たに投稿された画像がいずれかの画像とマッチすると判定された場合には（Ｓ７４でＹＥＳ）、確定している位置を新たな投稿情報の位置として決定する（Ｓ７６）。情報提供装置１０は、確定した位置データを用いて関連するバス停を決定する（Ｓ７８）。画像がマッチしないと判定された場合には（Ｓ７４でＮＯ）、第１の実施の形態と同様にして、関連するバス停を決定する（Ｓ７８）。以上、第２の実施の形態の情報提供システム２の構成および動作について説明した。
【００６８】
第２の実施の形態の情報提供装置１０は、第１の実施の形態と同様に、携帯端末３０から撮影場所の情報を受信していなくても、投稿情報を受け付け、適切なタイミングで投稿情報を出力することができる。
【００６９】
第２の実施の形態の情報提供装置１０は、投稿情報記憶部１４に記憶された位置が確定した画像との画像マッチングを行うことにより、新たに受信した投稿情報の位置を精度良く求めることができる。また、画像マッチングの対象となる位置確定画像を、投稿者が撮影時刻にいたであろう領域で撮影した画像に限定しているので、画像マッチング処理に要する負担を軽減できる。
【００７０】
（第３の実施の形態）
図１４は、第３の実施の形態の情報提供システム３の構成を示す図である。第３の実施の形態における情報提供装置１０は、第１の実施の形態における情報提供装置１０と同じである。第３の実施の形態では、撮影部３２とバス乗降のためのＩＣチップ３１の両方を備えた携帯端末３０の代わりに、撮影部３２を有する携帯端末３０とバス乗降の際に用いるＩＣカード６０とを別々に有している。また、携帯端末３０およびＩＣカード６０から情報提供装置１０に、投稿情報および乗降履歴のデータを中継する中継端末７０を有している。中継端末７０は、例えば、バス停に設置しておく。これにより、バス５０を待っている時間を利用して、ユーザは投稿情報を情報提供装置１０に送信することができる。
【００７１】
中継端末７０は、携帯端末３０から投稿情報を受信するデータインターフェース７１と、ＩＣカードのＩＣチップ６１から乗降履歴のデータを受信するＩＣカードインターフェース７２を有している。データインターフェース７１としては、例えば、ＵＳＢケーブルを挿し込むＵＳＢポートでもよいし、Bluetooth（登録商標）等の近距離無線のインターフェースでもよい。中継端末７０は、データインターフェース７１を通じて携帯端末３０から読み出した投稿情報を投稿情報記憶部７３に記憶する。また、中継端末７０は、ＩＣカードインターフェース７２を通じてＩＣチップ６１から読み出した乗降履歴データを乗降履歴記憶部７４に記憶する。
【００７２】
中継端末７０は、情報提供装置１０を通信するための通信部７５を有している。中継端末７０は、投稿情報記憶部７３に記憶された投稿情報と乗降履歴記憶部７４に記憶された乗降履歴のデータを通信部７５を通じて情報提供装置１０に送信する。中継端末７０から情報提供装置１０へのデータ送信は、定期的（例えば、夜間）に行ってもよい。
【００７３】
図１５は、情報提供システム３において、情報提供装置１０に投稿情報を送信する動作を示すフローチャートである。携帯端末３０は、投稿情報を生成する（Ｓ８０）。投稿情報の生成処理は、第１の実施の形態における処理（図６参照）と同じである。携帯端末３０は、生成した投稿情報を中継端末７０に送信する（Ｓ８２）。中継端末７０は、携帯端末３０から送信された投稿情報を受信し（Ｓ８４）、投稿情報記憶部７３に記憶する（Ｓ８６）。
【００７４】
バス５０の乗降に用いるＩＣカード６０を中継端末７０にかざし、ＩＣカード６０に記憶されている乗降履歴を中継端末７０に送信する（Ｓ８８）。中継端末７０は、携帯端末３０から送信された乗降履歴を受信し（Ｓ９０）、乗降履歴記憶部７４に記憶する（Ｓ９２）。中継端末７０は、投稿情報記憶部７３に記憶された投稿情報と、乗降履歴記憶部７４に記憶された乗降履歴を情報提供装置１０に送信する（Ｓ９４）。以上、第３の実施の形態の情報提供システム３の構成および動作について説明した。
【００７５】
第３の実施の形態の情報提供システム３では、携帯端末３０から投稿情報を受信すると共に、ＩＣカード６０から乗降履歴のデータを受信して情報提供装置１０に送信する中継端末７０を有しているので、携帯端末３０とＩＣカード６０とが別体の場合であっても、投稿情報と乗降履歴とを情報提供装置１０に送信することができる。これにより、情報提供装置１０に情報を投稿できるユーザが増え、より多くの投稿情報を受け付けることができる。
【００７６】
（第４の実施の形態）
図１６は、第４の実施の形態の情報提供システム４の構成を示す図である。第４の実施の形態の情報提供システム４の基本的な構成は、第１の実施の形態の情報提供システム１と同じであるが、第４の実施の形態では、携帯端末３０が現在位置を検出する位置検出部３９を有している。位置検出部３９としては、例えば、ＧＰＳを用いることができる。また、携帯端末３０が携帯電話の場合には、近傍の複数の基地局からの電波強度から、現在位置を計算により求めてもよい。なお、第４の実施の形態では、乗降履歴は必ずしも必要ないので、図１６では記載を省略している。
【００７７】
携帯端末３０は、撮影部３２にて画像を撮影したときに、位置検出部３９にて撮影位置を求める。画像記憶部３３に画像データと共に撮影位置のデータを記憶する。携帯端末３０は、第１の実施の形態と同様に、画像に対するコメントを入力することにより、投稿情報を生成する。
【００７８】
図１７は、携帯端末３０から情報提供装置１０に送信される投稿情報の例を示す図である。投稿情報は、第１の実施の形態で説明した投稿情報（図８（ａ）参照）と基本的に同じであるが、撮影日時ではなく、撮影位置のデータが含まれている点が異なる。
【００７９】
情報提供装置１０の関連バス停決定部１２は、投稿情報に含まれる撮影位置のデータに基づいて、撮影位置に最も近いバス停であって、撮影位置とバス停との距離が所定の閾値以下であるときに、そのバス停を関連するバス停として決定する。
【００８０】
図１８は、投稿情報記憶部１４に記憶されたデータの例を示す図である。投稿情報記憶部１４には、第１の実施の形態の投稿情報記憶部１４に記憶されたデータに加えて位置データを記憶している。
【００８１】
図１９は、第４の実施の形態の情報提供システム４の動作を示すフローチャートである。携帯端末３０は、まず、投稿情報を生成する（Ｓ１００）。
【００８２】
図２０は、投稿情報の生成処理を説明するフローチャートである。携帯端末３０による投稿情報の生成のフローは、撮影日時ではなく撮影位置のデータを取得して（Ｓ３３）、画像と共に撮影位置のデータを記憶する（Ｓ３５）点を除いては、第１の実施の形態における投稿情報の生成のフロー（図６参照）と同じである。
【００８３】
図１９に戻って、情報提供システム４の動作について説明する。携帯端末３０は、投稿情報を生成した後、情報提供装置１０に投稿情報を送信する（Ｓ１０２）。情報提供装置１０は、携帯端末３０から送信された投稿情報を受信する（Ｓ１０４）。情報提供装置１０は、受信した投稿情報に関連するバス停を決定する処理を行う（Ｓ１０６）。
【００８４】
図２１は、情報提供装置１０が投稿情報に関連するバス停を決定する動作を示すフローチャートである。情報提供装置１０は、投稿情報の中から、画像の撮影位置のデータを読み出す（Ｓ１２０）。次に、情報提供装置１０は、撮影位置に最も近いバス停をバス停記憶部１３から読み出す（Ｓ１２２）。情報提供装置１０は、撮影位置とバス停との距離を求め、距離が所定の閾値以下であるか否かを判定する（Ｓ１２４）。距離が所定の閾値以下の場合には（Ｓ１２４でＹＥＳ）、最も近いバス停を投稿情報に関連するバス停とし（Ｓ１２６）、距離が所定の閾値以下でない場合には関連するバス停なしとする（Ｓ１２８）。関連するバス停を決定した後の情報提供装置１０の動作（図１９、Ｓ１０８〜Ｓ１１２）については、第１の実施の形態と同じである（図５、ステップＳ２２〜２６）。以上、第４の実施の形態の情報提供システム４の構成および動作について説明した。
【００８５】
第４の実施の形態の情報提供システム４は、第１の実施の形態と同様に、携帯端末３０から送信された投稿情報をバス停に関連付けて記憶しておき、バス５０に搭載された情報出力装置５２に投稿情報を送信するので、情報出力装置５２は、適切なタイミングで投稿情報を出力することができる。
【００８６】
第４の実施の形態の情報提供システム４は、携帯端末３０が撮影位置を示すデータを取得するので、バス停と撮影位置との距離に基づいて、投稿情報に関連するバス停を適切に求めることができる。
【００８７】
（第５の実施の形態）
図２２は、第５の実施の形態の情報提供システム５の構成を示す図である。第５の実施の形態における携帯端末３０は、第４の実施の形態における携帯端末３０と同じである。第５の実施の形態における情報提供装置１０は、第４の実施の形態の情報提供装置１０の構成に加え、道路地図のデータを記憶した地図記憶部１８を有している。情報提供装置１０の関連バス停決定部１２は、地図記憶部１８に記憶された道路地図のデータを用いて、画像の撮影位置からバス停までの経路探索を行い、探索した経路の長さを求める。関連バス停決定部１２は、経路長が最短のバス停であって、かつ、所定の閾値以下の経路長にあるバス停を、投稿情報に関連するバス停として決定する。
【００８８】
図２３は、第５の実施の形態の情報提供装置１０が関連するバス停を決定する動作を示すフローチャートである。情報提供装置１０は、投稿情報から位置データを読み出し（Ｓ１３０）、読み出した撮影位置を含む所定の範囲内（例えば、２ｋｍ以内）にあるバス停を読み出す（Ｓ１３２）。次に、情報提供装置１０は、撮影位置から、読み出した各バス停までの経路探索を行い（Ｓ１３４）、経路長が最短のバス停を決定する（Ｓ１３６）。
【００８９】
続いて、情報提供装置１０は、経路長が所定の閾値以下であるか否かを判定する（Ｓ１３８）。経路長が所定の閾値以下の場合には（Ｓ１３８でＹＥＳ）、経路長が最短のバス停を投稿情報に関連するバス停とし（Ｓ１４０）、経路長が所定の閾値以下でない場合には（Ｓ１３８でＮＯ）、関連するバス停なしとする（Ｓ１４２）。以上、第５の実施の形態の情報提供装置１０の構成および動作について説明した。
【００９０】
第５の実施の形態の情報提供システム５は、第１の実施の形態と同様に、携帯端末３０から送信された投稿情報をバス停に関連付けて記憶しておき、バス５０に搭載された情報出力装置５２に投稿情報を送信するので、情報出力装置５２は、適切なタイミングで投稿情報を出力することができる。
【００９１】
また、第５の実施の形態の情報提供システム５は、携帯端末３０が撮影位置を示すデータを取得するので、バス停と撮影位置との経路長に基づいて、投稿情報に関連するバス停を適切に求めることができる。
【００９２】
（第６の実施の形態）
図２４は、第６の実施の形態の情報提供システム６の構成を示す図である。第６の実施の形態における携帯端末３０、第４の実施の形態の携帯端末３０と同じである。第６の実施の形態の情報提供装置１０は、第４の実施の形態の情報提供装置１０の構成に加えて、投稿情報の投稿者に対してポイントを付与するポイント付与部１９と、各投稿者の獲得したポイントを記憶するポイント記憶部２０とを有している。
【００９３】
図２５は、情報提供装置１０が投稿情報を受信したときにポイントを付与する動作を示すフローチャートである。情報提供装置１０は、投稿情報を受信すると（Ｓ１５０）、受信した投稿情報から撮影位置のデータを読み出す（Ｓ１５２）。情報提供装置１０は、投稿情報記憶部１４を検索して、読み出した撮影位置と同じ撮影位置を有するデータが存在するか否かを判定する（Ｓ１５４）。同じ撮影位置の投稿情報がある場合には（Ｓ１５４でＹＥＳ）、ポイントＡを付与し（Ｓ１５６）、同じ撮影位置の投稿情報がない場合には（Ｓ１５４でＮＯ）、ポイントＢ（Ａよりも高ポイント）を付与する（Ｓ１５８）。
【００９４】
第６の実施の形態の情報提供装置１０では、投稿情報の投稿者に対してポイントを付与し、投稿に対するインセンティブを与えることにより、多くの投稿情報を集めることができる。また、過去に投稿されたことのない場所についての投稿情報に対しては高いポイントを付与するので、これまでに投稿のなかった珍しい場所についての投稿をするインセンティブを与えることができる。
【００９５】
なお、本実施の形態では、同じ撮影位置の投稿情報が過去にあるか否かに基づいて、ポイントＡ、Ｂのいずれかを付与する例について説明したが、ポイント付与の仕方には様々なバリエーションが考えられる。例えば、同じ撮影位置での投稿情報の数に応じてポイントを付与してもよい。一例を示すと、同じ撮影位置での投稿情報の数をｎとし、与えるポイントＰを、
Ｐ＝Ｋ（定数）−ｎ  （Ｋ≧ｎのとき）
Ｐ＝０              （Ｋ＜ｎのとき）
により求めてもよい。
【００９６】
（第７の実施の形態）
図２６は、第７の実施の形態の情報提供システム７の構成を示す図である。第７の実施の形態における携帯端末３０は第４の実施の形態の携帯端末３０と同じである。第７の実施の形態における情報提供装置１０は、第４の実施の形態における情報提供装置１０の構成に加えて、投稿情報の投稿者に対してポイントを付与するポイント付与部１９と、各投稿者の獲得したポイントを記憶するポイント記憶部２０と、投稿情報に関連する関連情報を出力する関連情報出力部２１とを有している。
【００９７】
図２７は、投稿情報記憶部１４に記憶された投稿情報の例を示す図である。投稿情報記憶部１４には、第４の実施の形態における投稿情報記憶部１４に記憶された投稿情報に加えて、関連情報を記憶している。関連情報としては、例えば、投稿情報がある店舗がオープンしたという情報の場合、関連情報としては店舗の営業時間、取扱商品や価格等の情報である。
【００９８】
図２８は、バス５０に搭載された情報出力装置５２にて出力される投稿情報の画面例を示す図である。情報出力装置５２は、関連情報へのアクセス先を示すＱＲコード４８を表示する。ＱＲコード４８には、例えば、ＵＲＬ等のような、情報提供装置１０にアクセスするための情報のほかに、投稿情報を特定するための投稿ＩＤの情報が含まれる。これにより、乗客は、ＱＲコード読取機能を有する端末でＱＲコード４８を撮影することにより、情報提供装置１０に容易にアクセスできると共に、関連情報を希望する投稿情報を特定できる。端末は、ＱＲコード４８を変換して得られた投稿ＩＤを情報提供装置１０に送信する。情報提供装置１０の関連情報出力部２１は、投稿ＩＤを受信すると投稿ＩＤに対応する関連情報を投稿ＩＤの送信先の端末に対して送信する。
【００９９】
図２９は、情報提供装置１０にてポイントを付与する動作を示すフローチャートである。情報提供装置１０は、関連情報へのアクセスがあったか否かを判定し（Ｓ１６０）、アクセスがあった場合には（Ｓ１６０でＹＥＳ）、アクセスに含まれる投稿ＩＤを取得する（Ｓ１６２）。情報提供装置１０は、投稿ＩＤに対応する関連情報をアクセス元の端末に送信する（Ｓ１６４）。続いて、情報提供装置１０は、投稿ＩＤに対応する投稿者ＩＤを読み出し、その投稿者に対してポイントを付与する（Ｓ１６６）。
【０１００】
第７の実施の形態の情報提供装置１０では、投稿情報に関連する関連情報を表示するので、乗客は興味を持った投稿情報についてさらに詳しい情報を取得することができる。
【０１０１】
第７の実施の形態の情報提供装置１０は、関連情報に対するアクセスがあった場合にポイントを付与することにより、乗客が興味を持つような投稿情報を投稿するインセンティブを与え、面白い投稿情報を集めることができる。
【０１０２】
（第８の実施の形態）
図３０は、第８の実施の形態の情報提供システム８の構成を示す図である。第８の実施の形態における携帯端末３０の基本的な構成は、第１の実施の形態の携帯端末３０と同じである。ただし、第８の実施の形態における携帯端末３０は、ＩＣチップ３１にチャージされた金額を使ってバスに乗れるだけではなく、店舗での買い物も可能である。
【０１０３】
第８の実施の形態における情報提供装置１０の構成は、第１の実施の形態の情報提供装置１０に加え、投稿情報の投稿者に対してポイントを付与するポイント付与部１９と、各投稿者の獲得したポイントを記憶するポイント記憶部２０とを有している。また、ポイント付与部１９には、ユーザが商品を購入した履歴を示す購入履歴記憶部２２と、ユーザの乗降履歴を記憶した乗降履歴記憶部２３と、投稿情報をバスにて表示した履歴を示す投稿情報表示履歴記憶部２４とが接続されている。
【０１０４】
図３１は、購入履歴記憶部２２に記憶されたデータの例を示す図である。購入履歴記憶部２２には、ユーザＩＤと、ユーザＩＤにて特定されるユーザが買い物をした店舗を特定する店舗ＩＤと、購入年月日と、購入代金のデータが記憶されている。購入履歴のデータは、携帯端末３０が、ＩＣチップ３１に記憶されたデータを情報提供装置１０に送信することにより取得することができる。
【０１０５】
図３２は、乗降履歴記憶部２３に記憶されたデータの例を示す図である。乗降履歴記憶部２３には、第１の実施の形態にて説明した乗降履歴のデータ（図２参照）に加えて、乗車したバス５０を特定するバスＩＤのデータが記憶されている。
【０１０６】
図３３は、投稿情報表示履歴記憶部２４に記憶されたデータの例を示す図である。投稿情報表示履歴記憶部２４には、表示した投稿情報を特定する投稿ＩＤと、路線を特定する路線ＩＤと、表示したバス５０を特定するバスＩＤと、表示した時刻を示す表示時刻のデータを記憶している。投稿情報表示履歴は、バス５０に搭載された情報出力装置５２から取得する。
【０１０７】
図３４は、投稿情報記憶部１４に記憶されたデータの例を示す図である。投稿情報記憶部１４には、第４の実施の形態における投稿情報に加えて、店舗ＩＤを記憶している。店舗ＩＤは、投稿情報が店舗に関する情報である場合に、その店舗を特定する識別子である。店舗の位置と投稿情報の位置データとに基づいて店舗を特定して店舗ＩＤを求めてもよいし、コメントデータに含まれる店舗名から店舗ＩＤを求めてもよい。
【０１０８】
図３５は、情報提供装置１０にてポイントを付与する動作を示すフローチャートである。図３５を参照してポイント付与の動作を説明すると共に、ポイント付与部１９の処理内容について説明する。情報提供装置１０は、購入履歴記憶部２２に記憶された購入履歴の店舗ＩＤと、投稿情報記憶部１４に記憶された投稿情報の店舗ＩＤとを比較して、投稿情報にかかる店舗での商品の購入があったか否かを判定する（Ｓ１７０）。
【０１０９】
この判定により、投稿情報にかかる店舗での商品購入があったと判定された場合には（Ｓ１７０でＹＥＳ）、情報提供装置１０のポイント付与部１９は、投稿情報表示履歴記憶部２４から投稿情報の表示履歴を読み出す（Ｓ１７２）。また、ポイント付与部１９は、乗降履歴記憶部２３から、商品を購入したユーザの乗降履歴を読み出す（Ｓ１７４）。続いて、ポイント付与部１９は、投稿情報の表示中に商品を購入したユーザがバス５０に乗っていたか否かを判定する（Ｓ１７６）。バス５０に乗っていたと判定された場合に（Ｓ１７６でＹＥＳ）、その投稿情報の投稿者にポイントを付与する（Ｓ１７８）。
【０１１０】
第８の実施の形態の情報提供装置１０は、ユーザが店舗に関する投稿情報を見た後に、その店舗で買い物をした場合にポイントを付与する。これにより、乗客が買い物をしたくなるような良い店舗の情報を投稿するインセンティブが働くので、店舗に関する良質な情報を集めることができる。
【０１１１】
なお、本実施の形態において、付与するポイントを商品の購入額に応じて変えることとしてもよい。例えば、乗客が高額の商品を購入した場合には高いポイントを付与し、低額の商品を購入した場合には低いポイントを付与してもよい。
【０１１２】
以上、本発明の情報提供装置１０について実施の形態を挙げて詳細に説明したが、本発明は上記した実施の形態に限定されるものではない。
【０１１３】
上記した第１〜第５の実施の形態ではいずれも、バス停と投稿情報の場所との地理的な関係に基づいて関連するバス停を決定する例について説明したが、地理的な関係だけでなく、例えば、乗客の流れ等に応じて関連するバス停を決定してもよい。例えば、バス停Ａで降車して最寄りの店舗ａで買い物をし、続いて、店舗ｂで買い物をし、店舗ｂの最寄りのバス停Ｂから乗車するという乗客が多数存在する場合には、バス停Ａからバス停Ｂに向かって歩きながら買い物をするのが便利であると考えられる。このような場合には、店舗ａ，ｂについての投稿情報をバス停Ａに関連付けてもよい。これにより、バス停Ａに到着する際に、店舗ａ，ｂについて投稿情報が出力されるので、多くの乗客にとって便利である。
【０１１４】
上記した第６の実施の形態では、過去の投稿情報の撮影位置のデータに基づいて付与するポイントを決定する例について説明したが、過去の投稿情報にかかる画像と新たな投稿情報にかかる画像の類似度に基づいて付与するポイントを決定してもよい。例えば、過去に類似度が高い画像が投稿されている場合には低いポイントを付与し、過去の投稿情報にかかる画像とは類似しない画像の投稿の場合には高いポイントを付与してもよい。
【産業上の利用可能性】
【０１１５】
本発明は、乗降所に応じて適切な投稿情報を提供することができるという効果を有し、バス停や駅などの周辺の情報を提供する情報提供装置として有用である。
【図面の簡単な説明】
【０１１６】
【図１】第１の実施の形態の情報提供システムの構成を示す図である。
【図２】ＩＣチップに記憶された乗降履歴データの例を示す図である。
【図３】バス停記憶部に記憶されたデータの例を示す図である。
【図４】投稿情報記憶部に記憶されたデータの例を示す図である。
【図５】第１の実施の形態の提供システムの動作を示す図である。
【図６】第１の実施の形態における投稿情報生成の動作を示す図である。
【図７】投稿情報の生成画面の例を示す図である。
【図８】（ａ）携帯端末から情報提供装置に送信される投稿情報の例を示す図である。（ｂ）携帯端末から情報提供装置に送信される乗降履歴の例を示す図である。
【図９】第１の実施の形態において、関連バス停を決定する動作を示す図である。
【図１０】第１の実施の形態における投稿情報の表示例を示す図である。
【図１１】第２の実施の形態の情報提供システムの構成を示す図である。
【図１２】第２の実施の形態における投稿情報記憶部に記憶されたデータの例を示す図である。
【図１３】第２の実施の形態において、関連バス停を決定する動作を示す図である。
【図１４】第３の実施の形態の情報提供システムの構成を示す図である。
【図１５】第３の実施の形態において情報提供装置にデータを送信するまでの動作を示す図である。
【図１６】第４の実施の形態の情報提供システムの構成を示す図である。
【図１７】第４の実施の形態において携帯端末から情報提供装置に送信される投稿情報の例を示す図である。
【図１８】第４の実施の形態における投稿情報記憶部に記憶されたデータの例を示す図である。
【図１９】第４の実施の形態の提供システムの動作を示す図である。
【図２０】第４の実施の形態における投稿情報生成の動作を示す図である。
【図２１】第４の実施の形態において、関連バス停を決定する動作を示す図である。
【図２２】第５の実施の形態の情報提供システムの構成を示す図である。
【図２３】第５の実施の形態において、関連バス停を決定する動作を示す図である。
【図２４】第６の実施の形態の情報提供システムの構成を示す図である。
【図２５】第６の実施の形態におけるポイント付与の動作を示す図である。
【図２６】第７の実施の形態の情報提供システムの構成を示す図である。
【図２７】第７の実施の形態における投稿情報記憶部に記憶されたデータの例を示す図である。
【図２８】第７の実施の形態における投稿情報の表示例を示す図である。
【図２９】第７の実施の形態におけるポイント付与の動作を示す図である。
【図３０】第８の実施の形態の情報提供システムの構成を示す図である。
【図３１】購入履歴記憶部に記憶されたデータの例を示す図である。
【図３２】乗降履歴記憶部に記憶されたデータの例を示す図である。
【図３３】投稿情報表示履歴記憶部に記憶されたデータの例を示す図である。
【図３４】第８の実施の形態における投稿情報記憶部に記憶されたデータの例を示す図である。
【図３５】第８の実施の形態におけるポイント付与の動作を示す図である。
【符号の説明】
【０１１７】
１〜８  情報提供システム
１０  情報提供装置
１１  通信部
１２  関連バス停決定部
１３  バス停記憶部
１４  投稿情報記憶部
１５  路線ＩＤ取得部
１６  路線情報読出部
１７  画像マッチング処理部
１８  地図記憶部
１９  ポイント付与部
２０  ポイント記憶部
２１  関連情報出力部
２２  購入履歴記憶部
２３  乗降履歴記憶部
２４  投稿情報表示履歴記憶部
３０  携帯端末
３１  ＩＣチップ
３２  撮影部
３３  画像記憶部
３４  投稿情報生成部
３５  表示部
３６  入力部
３７  通信部
３８  データインターフェース
３９  位置検出部
５０  バス
５２  情報出力装置
６０  ＩＣカード
６１  ＩＣチップ
７０  中継端末
７１  データインターフェース
７２  ＩＣカードインターフェース
７３  投稿情報記憶部
７４  乗降履歴記憶部
７５  通信部
【図１】
2010230813.tif 000003
【図２】
2010230813.tif 000004
【図３】
2010230813.tif 000005
【図４】
2010230813.tif 000006
【図５】
2010230813.tif 000007
【図６】
2010230813.tif 000008
【図７】
2010230813.tif 000009
【図８】
2010230813.tif 000010
【図９】
2010230813.tif 000011
【図１０】
2010230813.tif 000012
【図１１】
2010230813.tif 000013
【図１２】
2010230813.tif 000014
【図１３】
2010230813.tif 000015
【図１４】
2010230813.tif 000016
【図１５】
2010230813.tif 000017
【図１６】
2010230813.tif 000018
【図１７】
2010230813.tif 000019
【図１８】
2010230813.tif 000020
【図１９】
2010230813.tif 000021
【図２０】
2010230813.tif 000022
【図２１】
2010230813.tif 000023
【図２２】
2010230813.tif 000024
【図２３】
2010230813.tif 000025
【図２４】
2010230813.tif 000026
【図２５】
2010230813.tif 000027
【図２６】
2010230813.tif 000028
【図２７】
2010230813.tif 000029
【図２８】
2010230813.tif 000030
【図２９】
2010230813.tif 000031
【図３０】
2010230813.tif 000032
【図３１】
2010230813.tif 000033
【図３２】
2010230813.tif 000034
【図３３】
2010230813.tif 000035
【図３４】
2010230813.tif 000036
【図３５】
2010230813.tif 000037